(57)【要約】【課題】塗装時の塗り分け作業を容易にし得るＬＥＤ灯具を提供する。【解決手段】ＬＥＤ灯具１０では、取付面１００の反対側に向けて開口する開口部２０ａ，２０ｂがＬＥＤ灯具１０の長手方向に沿って２列に並んで連続して形成される本体ケース２０と、開口部２０ａ，２０ｂの長手方向長さとほぼ同等の長さを有するとともに湾曲形状をなす端部形状が一端側から他端側まで連続して形成され開口部２０ａ，２０ｂのそれぞれに設けられる２枚の反射板３０，４０と、複数のＬＥＤ５３が列状に配置されるＬＥＤ列を複数備え、反射板３０，４０の短手方向側方から斜めに入射するように反射板３０，４０のうち、一方の反射板３０に一群のＬＥＤ列の発光側を向け、他方の反射板４０に他群のＬＥＤ列の発光側を向けて２列の開口部２０ａ，２０ｂの間に設けられ、発せられた光がこれらの反射板３０，４０に反射して照明光として外部に出射される発光部５０と、を備える。【選択図】図３
2015018627.tif 000002
【特許請求の範囲】
【請求項１】
複数の発光ダイオードが長手方向に沿って列状に設けられて天井や壁の取付面に取り付けられる長尺状のＬＥＤ灯具であって、
前記取付面の反対側に向けて開口する開口部が前記長手方向に沿って２列に並んで連続して形成される本体部と、
前記開口部の長手方向長さとほぼ同等の長さを有するとともに湾曲形状をなす端部形状が一端側から他端側まで連続して形成され、前記取付面の反対側に向けて開口するように前記２列の開口部のそれぞれに設けられる２枚の反射板と、
前記複数の発光ダイオードが列状に配置されるＬＥＤ列を複数備え、前記反射板の短手方向側方から斜めに入射するように前記２枚の反射板のうち、一方の反射板に一群のＬＥＤ列の発光側を向け、他方の反射板に他群のＬＥＤ列の発光側を向けて前記２列の開口部の間に設けられ、発せられた光がこれらの反射板に反射して照明光として外部に出射される発光部と、
を備えることを特徴とするＬＥＤ灯具。
【請求項２】
前記発光部と前記反射板との間には、前記発光部の長手方向長さとほぼ同等の長さを有する短冊形状の透光性カバーが介在しており、
前記透光性カバーは、短手方向の一端側が前記本体部の長手方向に沿って形成される溝部に係止され、短手方向の他端側が前記反射板の短手方向端部により前記本体部に押圧されて、前記本体部に固定されることを特徴とする請求項１に記載のＬＥＤ灯具。
【請求項３】
前記発光部は、
前記複数の発光ダイオードが列状に実装される長尺状の一対のプリント配線板と、
前記一対のプリント配線板のそれぞれに対して設けられ、前記プリント配線板とほぼ同等の長さを有するとともにＬ字形状をなす端部形状が一端側から他端側まで連続し、かつＬ字形状の内向面が光沢を有する一対の取付金具と、を備え、
前記Ｌ字形状の外向面側が前記本体部に接するように前記取付金具を前記本体部に取り付けた場合、前記Ｌ字形状の内向面側のうち前記反射板に向く面側に前記プリント配線板を取り付けることを特徴とする請求項１または２に記載のＬＥＤ灯具。
【発明の詳細な説明】
【技術分野】
【０００１】
本発明は、複数の発光ダイオードが長手方向に沿って列状に設けられて天井や壁の取付面に取り付けられる長尺状のＬＥＤ灯具に関するものである。
【背景技術】
【０００２】
長尺状のＬＥＤ灯具として、例えば、下記特許文献１の意匠登録公報（意匠に係る物品「照明器具用ケーシング」）の参考図に開示されるものがある。このＬＥＤ灯具は、鉄道車両や航空機、自動車等の客室内に設置されるもので、例えば、同文献の「客室内に設置した状態を示す参考断面図」に示されるように、客室の天井に取り付けられる。
【先行技術文献】
【特許文献】
【０００３】
【特許文献１】意匠登録第１４５８４４０号公報（使用状態を示すＡ−Ａ線参考拡大断面図）
【発明の概要】
【発明が解決しようとする課題】
【０００４】
ところで、上記特許文献１に開示されるＬＥＤ灯具は、そのケーシングが「同一断面形で長尺に延びており、傘状の断面形の中央部から両側に広がる両側部は、それぞれ中央部より左右対称に水平に延出した後、徐々に下方に向かって湾曲した円弧形断面に形成されて」いる。また、「前記中央部から下方に垂下する光源等の一対の取付部は、左右対称に下方に向かい鉛直よりやや上向きの角度で互いに離隔するように垂下し、それぞれの下端よりさらに湾曲した円弧形断面の部位が直角に満たない角度で交わるように延出している」（同文献；意匠に係る物品の説明の欄）。
【０００５】
即ち、このＬＥＤ灯具は、上記参考図からわかるように、中央部において垂下する基板（２）の取付部やその他の部分が、ＬＥＤ（１）の発光を反射する反射面（４）と一体に形成されている（括弧内の数字は、同文献において用いられている符号に対応する）。そのため、例えば、反射効率を向上させるために反射面（４）を白色に、それ以外の部分を車両内や機内のデザイン等に合わせた色に、ケーシングを塗装する場合、マスキングテープ等を使用した精緻な塗り分け作業が必要になる。したがって、塗り分け作業が容易ではない。
【０００６】
また、上記参考図に示されるように、基板（２）や保護カバー（３）を取り付けるためにケーシングの長手方向に沿って延びる溝をケーシングに形成した場合、基板（２）等を側方から差し込んで組み付けることになる。そのため、ＬＥＤ灯具を客室の天井に取り付けた状態で基板（２）等をメンテナンスするときには、保護カバー（３）を側方に引き抜くため、ＬＥＤ灯具の側方には、基板（２）等の長さ相当の作業空間が必要になる。このような作業空間を確保できない場合には、一旦、天井や壁の取付面からＬＥＤ灯具を取り外さなければならない。よって、作業効率の低下を招く。
【０００７】
本発明は、上述した課題を解決するためになされたもので、塗装時の塗り分け作業を容易にし得るＬＥＤ灯具を提供することを目的とする。また、組付性やメンテナンス性を向上し得るＬＥＤ灯具を提供することを目的とする。
【課題を解決するための手段】
【０００８】
上記目的を達成するため、特許請求の範囲の請求項１に記載されたＬＥＤ灯具は、複数の発光ダイオードが長手方向に沿って列状に設けられて天井や壁の取付面に取り付けられる長尺状のＬＥＤ灯具であって、前記取付面の反対側に向けて開口する開口部が前記長手方向に沿って２列に並んで連続して形成される本体部と、前記開口部の長手方向長さとほぼ同等の長さを有するとともに湾曲形状をなす端部形状が一端側から他端側まで連続して形成され、前記取付面の反対側に向けて開口するように前記２列の開口部のそれぞれに設けられる２枚の反射板と、前記複数の発光ダイオードが列状に配置されるＬＥＤ列を複数備え、前記反射板の短手方向側方から斜めに入射するように前記２枚の反射板のうち、一方の反射板に一群のＬＥＤ列の発光側を向け、他方の反射板に他群のＬＥＤ列の発光側を向けて前記２列の開口部の間に設けられ、発せられた光がこれらの反射板に反射して照明光として外部に出射される発光部と、を備えることを特徴とする。
【０００９】
請求項１に記載のＬＥＤ灯具の発明では、本体部とは別体に、本体部に開口する２列の開口部に２枚の反射板が設けられる。これにより、これらの反射板とは別に、本体部を塗装することができ、マスキングテープ等を用いることなく、反射板と本体部とを塗り分けることが可能になる。また、本体部自体に塗り分けがある場合、塗り分けの境界を反射板で隠れる範囲に設定することで、塗り分けの境界を反射板で隠すことが可能になる。
【００１０】
また、特許請求の範囲の請求項２に記載されたＬＥＤ灯具は、請求項１に記載されたＬＥＤ灯具において、前記発光部と前記反射板との間には、前記発光部の長手方向長さとほぼ同等の長さを有する短冊形状の透光性カバーが介在しており、前記透光性カバーは、短手方向の一端側が前記本体部の長手方向に沿って形成される溝部に係止され、短手方向の他端側が前記反射板の短手方向端部により前記本体部に押圧されて、前記本体部に固定されることを特徴とする。
【００１１】
請求項２に記載のＬＥＤ灯具の発明では、透光性カバーの短手方向の一端側を本体部に形成された溝部に係止して短手方向の他端側を反射板の短手方向端部により本体部に押圧して、透光性カバーを本体部に固定する。これにより、組付時においては、発光部の長手方向長さとほぼ同等の長さを有する短冊形状の透光性カバーを本体部の側方からスライドさせて本体部に差し込んだり、またメンテナンス時においては、このような長尺の透光性カバーをスライドさせて本体部の側方から引き抜いたり、する必要がない。そのため、当該ＬＥＤ灯具の側方に、透光性カバーの長さ相当の作業空間を確保する必要がなくなることから、組付時に作業空間を作ったり、メンテナンス時に、一旦、ＬＥＤ灯具を、天井や壁の取付面から取り外したりする必要がない。
【００１２】
また、特許請求の範囲の請求項３に記載されたＬＥＤ灯具は、請求項１または２のいずれか一項に記載されたＬＥＤ灯具において、前記発光部は、前記複数の発光ダイオードが列状に実装される長尺状の一対のプリント配線板と、前記一対のプリント配線板のそれぞれに対して設けられ、前記プリント配線板とほぼ同等の長さを有するとともにＬ字形状をなす端部形状が一端側から他端側まで連続し、かつＬ字形状の内向面が光沢を有する一対の取付金具と、を備え、前記Ｌ字形状の外向面側が前記本体部に接するように前記取付金具を前記本体部に取り付けた場合、前記Ｌ字形状の内向面側のうち前記反射板に向く面側に前記プリント配線板を取り付けることを特徴とする。
【００１３】
請求項３に記載のＬＥＤ灯具の発明では、Ｌ字形状の外向面側が本体部に接するように取付金具を本体部に取り付けた場合、Ｌ字形状の内向面側のうち反射板に向く面側にプリント配線板が取り付けられる。これにより、プリント配線板は、Ｌ字形状の取付金具を介して本体部に取り付けられるため、組付時においては、長尺状の一対のプリント配線板を本体部の側方からスライドさせて本体部に差し込んだり、またメンテナンス時においては、このような一対のプリント配線板をスライドさせて本体部の側方から引き抜いたり、する必要がなくなる。そのため、当該ＬＥＤ灯具の側方に、プリント配線板の長さ相当の作業空間を確保する必要がないことから、組付時に作業空間を作ったり、メンテナンス時に、一旦、ＬＥＤ灯具を、天井や壁の取付面から取り外したりする必要がない。
【発明の効果】
【００１４】
本発明では、マスキングテープ等を用いることなく、塗り分けを可能にすることから、塗装時の塗り分け作業を容易にすることができる。また、本発明では、組付時やメンテナンス時において、ＬＥＤ灯具を、一旦、天井や壁の取付面から取り外す必要がなくなることから、組付性やメンテナンス性を向上することができる。
【図面の簡単な説明】
【００１５】
【図１】本発明の一実施形態に係るＬＥＤ灯具の使用状態を示す斜視図である。
【図２】本実施形態に係るＬＥＤ灯具の外観構成等を示す斜視図である。
【図３】図２に示すIII−III線による断面図である。
【図４】ＬＥＤ灯具を分解した状態を示す斜視図である。
【図５】ＬＥＤ灯具の六面図で、図５(A)は正面図、図５(B)は背面図、図５(C)は平面図、図５(D)は底面図、図５(E)は右側面図、図５(F)は左側面図、である。
【図６】本体ケースの六面図および斜視図で、図６(A)は正面図、図６(B)は背面図、図６(C)は平面図、図６(D)は底面図、図６(E)は右側面図、図６(F)は左側面図、図６(G)は斜視図、である。
【図７】反射板の六面図および斜視図で、図７(A)は正面図、図７(B)は背面図、図７(C)は平面図、図７(D)は底面図、図７(E)は右側面図、図７(F)は左側面図、図７(G)は斜視図、である。
【図８】ＬＥＤ灯具の塗装における塗り分けの例を示す説明図である。
【発明を実施するための形態】
【００１６】
以下、本発明のＬＥＤ灯具の実施形態を各図に基づいて説明する。ＬＥＤ灯具１０の構成を図１〜図４を参照して説明する。なお、図１には、ＬＥＤ灯具１０の使用状態を示す斜視図が図示されており、また図２には、ＬＥＤ灯具１０の外観構成等を示す斜視図が図示されている。図３には、図２に示すIII−III線による断面図が図示されている。図４には、ＬＥＤ灯具１０を分解した状態を示す斜視図が図示されている。
【００１７】
図１に示すように、ＬＥＤ灯具１０は、鉄道車両の客室内の天井や壁等の取付面１００に設けられて使用される室内照明装置であり、例えば、図３に示すように、取付面１００に形成された凹部１００ａ内に架設された車両側取付金具１０１に、ねじ締結されて固定される。なお、図３においては、取付面１００や車両側取付金具１０１等の鉄道車両側の構造物が二点鎖線による想像線により表現されていることに注意されたい。
【００１８】
図１および図２に示すように、ＬＥＤ灯具１０は、本体ケース２０、反射板３０，４０、発光部５０、透光性カバー６０、サイドカバー８０、ＬＥＤ電源装置９０等により構成されている。なお、本明細書では、図１〜図４に示す座標軸表示におけるＸ軸方向を「短手方向」、またＹ軸方向を「長手方向」、さらにＺ軸方向を「高さ方向」、とそれぞれ称する。
【００１９】
図２および図３に示すように、本体ケース２０は、例えばアルミニウムからなり、開口部２０ａ，２０ｂ、中央部２１、収容部２２等が押出または切削加工により長尺状に一体に形成されている。本実施形態では、本体ケース２０は、不燃性や熱伝導特性の点で良好な金属材料を使用している。
【００２０】
本体ケース２０は、取付面１００の反対側に向けて開口する開口部２０ａ，２０ｂが長手方向に沿って２列に並んで連続して形成されている。開口部２０ａ，２０ｂは、いずれも、段違いの２つの平坦部（内側平坦部と外側平坦部）と、これらの平坦部を繋ぐ曲面部とにより構成されている。曲面部の曲面形状は、後述する反射板３０，４０の湾曲形状に適合可能に設定されている。本体ケース２０の短手方向の中央には、厚板状に形成される中央部２１が位置している。本実施形態では、この中央部２１が鉄道車両の凹部１００ａ内に架設された車両側取付金具１０１にスペーサを介してボルト１０３によりねじ締結されることによって、車両の取付面１００にＬＥＤ灯具１０が固定されている。
【００２１】
中央部２１と、その両側に位置する開口部２０ａ，２０ｂとの間には、収容部２２が形成されている。図３に示すように、この収容部２２は、その短手方向の断面形状が「＞」字と「＜」字の凸側同士を対向させて並べた形状に形成されている。即ち、収容部２２は、「＜」字形状部からなる開口部２０ａ側の部分と、「＞」字形状部からなる開口部２０ｂ側の部分と、により構成されており、後述するように、「＞」字形状部の凸側の反対側（つまり「＞」字の凹側）および「＜」字形状部の凸側の反対側（つまり「＜」字の凹側）にそれぞれ発光部５０を収容する。なお、以下、便宜上、「＜」字形状部からなる開口部２０ａ側の部分を「開口部２０ａ側の収容部２２」と、また「＞」字形状部からなる開口部２０ｂ側の部分を「開口部２０ｂ側の収容部２２」と称する場合がある。
【００２２】
「＞」字形状部と「＜」字形状部の間には、短手方向の断面形状が「コ」字を伏せたような形状をなす中央部２１が位置している。本実施形態では、この中央部２１の「コ」字形状の開口幅をボルト１０３のボルトヘッドが通過可能な間隔に設定している。また、図３に示すように、「＞」字形状部と「＜」字形状部の間には、「＞」字形状部および「＜」字形状部のそれぞれから垂下するように伸びる放熱フィン２３が形成されている。
【００２３】
この放熱フィン２３は、収容部２２に収容される発光部５０が発する熱を外部空間に逃がすための放熱装置（放熱部）で、本実施形態では「＞」字形状部および「＜」字形状部のそれぞれに２枚ずつ設けられている。これらの放熱フィン２３は、放熱装置としての機能のほかに、ＬＥＤ灯具１０の短手方向中央で長手方向に複数の線条に延びることにより印象的なデザインを構成する機能も有する。また、取付面１００に取り付けられたＬＥＤ灯具１０を乗客が斜め下方から見上げた場合、これらの放熱フィン２３が当該乗客の視線を遮ることによってボルト１０３を見え難くしている。
【００２４】
本体ケース２０の開口部２０ａには、反射板３０の取り付け位置を決定する位置決め部２４ａが形成されている。この位置決め部２４ａは、その断面形状が凸形状をなすように開口部２０ａの内側平坦部に突出しており、開口部２０ａ側の収容部２２を形成する「＜」字形状部の近傍に位置（開口部２０ａの短手方向内側）している。本実施形態では、位置決め部２４ａは、短手方向外側に向かってやや傾くような断面形状をなしており、後述する反射板３０の位置決め部３１と係合可能な形状に形成されている。
【００２５】
開口部２０ａ側の収容部２２には、後述する透光性カバー６０を取り付ける取付溝２５ａが形成されている。即ち、近傍に位置決め部２４ａが形成される収容部２２の「＜」字形状部のうち、位置決め部２４ａの対向側に取付溝２５ａが形成されている。また、この取付溝２５ａから、さらに放熱フィン２３が垂下する方向の収容部２２の端部には、後述するサイドカバー８０をねじ締結するための雌ねじ部２８が形成されている。
【００２６】
位置決め部２４ａが形成される開口部２０ａの反対側、つまり本体ケース２０の裏側には、後述するＬＥＤ電源装置９０を取り付ける電源スペースが設けられている。この電源スペースは、当該ＬＥＤ灯具１０が取付面１００に取り付けられた場合、当該車両の天井や壁の内側に隠れる部分であり、前述した車両側取付金具１０１もこの取付面１００内に架設されている。
【００２７】
もう一方の開口部２０ｂの反対側には、ＬＥＤ電源装置９０に直流１００Ｖを供給するコネクタ９１を取り付けるコネクタスペースと、このコネクタ９１に接続される渡り配線９２を収容するダクト部２９が形成されている。これらも、取付面１００の凹部１００ａに収容されており、車両側取付金具１０１を挟んで、ＬＥＤ電源装置９０の反対側に位置している。
【００２８】
この開口部２０ｂにも、開口部２０ａと同様に、断面形状が凸形状をなす位置決め部２４ｂが突出するように形成されている。開口部２０ｂに形成される位置決め部２４ｂは、反射板４０の取り付け位置を決定するためのもので、収容部２２を形成する「＞」字形状部の近傍に位置（開口部２０ｂの短手方向内側）に位置している。本実施形態では、位置決め部２４ｂは、短手方向外側に向かってやや傾くような断面形状をなしており、後述する反射板４０の位置決め部４１と係合可能な形状に形成されている。
【００２９】
また、開口部２０ｂの収容部２２にも、開口部２０ａ側の収容部２２と同様に、後述する透光性カバー６０を取り付ける取付溝２５ｂが形成されている。即ち、近傍に位置決め部２４ｂが形成される収容部２２の「＞」字形状部のうち、位置決め部２４ｂの対向側に取付溝２５ｂが形成されている。また、この取付溝２５ｂから、さらに放熱フィン２３が垂下する方向の収容部２２の端部にも、後述するサイドカバー８０をねじ締結するための雌ねじ部２８が形成されている。
【００３０】
このように形成される開口部２０ａや開口部２０ｂの短手方向外側には、サイドカバー８０の円弧状の輪郭に沿って傾斜するスロープ部２６が形成されており、このスロープ部２６の縁端には、当該ＬＥＤ灯具１０を天井や壁に取り付けた場合に取付面１００に当接する当接部２７が形成されている。この当接部２７は、図３に示すように、その断面形状がスロープ部２６の縁端から取付面１００に沿って短手方向内側に折り返すように形成されており、本実施形態では、取付面１００との間に緩衝材を介して取付面１００に当接している。なお、開口部２０ａ，２０ｂとスロープ部２６との境界部分には、サイドカバー８０をねじ締結するための雌ねじ部２８が形成されている。
【００３１】
本実施形態では、図３に示すように、開口部２０ａ，２０ｂが形成される本体ケース２０の表側は、中央部２１を中心に短手方向において左右対称の形状に形成されている。そのため、次に説明する反射板３０，４０も、開口部２０ａ，２０ｂの形状に合わせて左右対称に位置している。
【００３２】
反射板３０，４０は、本体ケース２０とほぼ同じ長さを有し短手方向に湾曲する薄板状に形成されている。これらの反射板３０，４０も、本体ケース２０と同様に、例えばアルミニウムからなり、図３に示す断面形状（または端部形状）が押出または切削加工により一端側から他端側まで連続して形成されている。なお、反射板３０および反射板４０は、図１〜図３に示すように、左右対称形状である。そのため、ここでは反射板３０の形状を代表して説明し、反射板４０については該当する符号を括弧書きで示すことにする。
【００３３】
反射板３０（４０）は、本体ケース２０の開口部２０ａ（２０ｂ）に取り付けられて、収容部２２に収容された発光部５０から出射される照明光を反射して客室内等を照らす機能を有する。そのため、反射板３０（４０）は、図３に示すように、その断面形状（または端部形状）が客室方向に向けて凹形状をなすように湾曲する湾曲部を有する。なお、以下、反射板３０（４０）の凹形状側を「反射板３０（４０）の表側」、またその裏側を「反射板３０（４０）の裏側」と称する。
【００３４】
反射板３０（４０）の裏側には、前述した本体ケース２０の位置決め部２４ａ（２４ｂ）に係合可能な位置決め部３１（４１）が形成されている。この位置決め部３１（４１）は、湾曲部の短手方向内側端部付近に位置しており、その断面形状は、短手方向内側に向かってやや傾いた凸形状に設定されている。これにより、位置決め部２４ａ（２４ｂ）に適した係合を可能にしている。
【００３５】
位置決め部３１（４１）の近傍、つまり湾曲部の短手方向内側端部には、その断面形状（または端部形状）が「レ字」形状に反射板３０（４０）の裏側に向けて折れ曲がる内当接部３５（４５）が形成されている。この内当接部３５（４５）は、反射板３０（４０）の短手方向内側端部でもあることから、反射板３０（４０）が開口部２０ａ（２０ｂ）に取り付けられた場合に透光性カバー６０を収容部２２側に押圧する機能を有する。
【００３６】
これに対して、反射板３０（４０）の短手方向外側端部には、スロープ部３６（４６）と外当接部３７（４７）が形成されている。即ち、反射板３０（４０）の裏側で内側方向に折り返される外当接部３７（４７）と、断面形状（または端部形状）において、外当接部３７（４７）とともに「フ字」形状を構成するように反射板３０（４０）の湾曲部に繋がるスロープ部３６（４６）と、が湾曲部の短手方向外側端部に形成されている。この外当接部３７（４７）は、サイドカバー８０に形成される係止凸部等により、開口部２０ａ（２０ｂ）の外側平坦部に当接した状態を維持するように、短手方向および高さ方向の移動が規制される。
【００３７】
図３および図４に示すように、発光部５０は、短冊形状をなすＬＥＤ基板５１と、このＬＥＤ基板５１の長手方向に沿って列状に実装される複数のＬＥＤ５３とから構成されている。発光部５０には、渡り配線９２から給電される直流１００Ｖを降圧するＬＥＤ電源装置９０を介して駆動電源が供給されている。本実施形態では、複数のＬＥＤ基板５１が電気的に並列に接続されており、駆動電源がそれぞれに供給されている。なお、図２においては配線の図示を省略している。
【００３８】
この発光部５０は、開口部２０ａ側の収容部２２および開口部２０ｂ側の収容部２２のいずれにも収容されており、Ｌ字金具７０を介して本体ケース２０に固定されている。即ち、開口部２０ａ側の収容部２２に収容される発光部５０は、反射板３０の短手方向内側端部から斜めに湾曲部の短手方向ほぼ中央に入射するように、また開口部２０ｂ側の収容部２２に収容される発光部５０は、反射板４０の短手方向内側端部から斜めに湾曲部の短手方向ほぼ中央に入射するように、それぞれ本体ケース２０に固定されている。
【００３９】
このように発光部５０を本体ケース２０に固定するＬ字金具７０は、本体ケース２０とほぼ同等の長さを有する長尺状のアルミニウム板で、前述した収容部２２の「＜」字形状部および「＞」字形状部に適合可能なＬ字形状の端部形状を有しその端部形状が一端側から他端側まで連続して形成されているものである。
【００４０】
図３に示すように、Ｌ字形状の外向面側を収容部２２に接するようにＬ字金具７０を本体ケース２０に取り付けた場合、Ｌ字形状の内向面側のうち、反射板３０（４０）に向く面側に発光部５０（ＬＥＤ基板５１）を取り付ける。発光部５０（ＬＥＤ基板５１）の取り付けには、例えば両面テープを使用してＬ字金具７０に貼着する。また、Ｌ字形状の内向面側のうち、発光部５０（ＬＥＤ基板５１）を貼着しない側にねじ穴を形成して収容部２２にＬ字金具７０をねじ止め固定する。
【００４１】
これにより、発光部５０から発せられたＬＥＤ５３の光は、反射板３０，４０の湾曲部に向けて出射されるため、反射板３０，４０により反射された光が客室内に向けた照明光として出射される。またＬ字金具７０の内向面側のうち、発光部５０が貼着されていない面（光沢を有する面）にも、ＬＥＤ５３の光が反射して客室内に向けて出射される。
【００４２】
透光性カバー６０は、本体ケース２０とほぼ同じ長さの短冊状に形成されたガラス板６１に同じく短冊状に形成された拡散シート６２を貼付したもので、発光部５０を収容した収容部２２の短手方向開口部を覆うものである。この透光性カバー６０は、開口部２０ａの収容部２２および開口部２０ｂの収容部２２のいずれにも取り付けられており、収容部２２に形成される取付溝２５ａ（２５ｂ）と、反射板３０（４０）の内当接部３５（４５）とにより、収容部２２に固定される。
【００４３】
即ち、透光性カバー６０の長手方向（図１〜図４に示すＹ軸方向）に対する短手方向（図１〜図４に示すＺ軸方向）一端側が収容部２２の取付溝２５ａ（２５ｂ）に係止され、また同短手方向の他端側が反射板３０（４０）の内当接部３５（４５）により収容部２２（本体ケース２０）に押圧されて、透光性カバー６０が収容部２２（本体ケース２０）に固定される。これにより、透光性カバー６０の短手方向両端部が、取付溝２５ａ（２５ｂ）のような溝にはめ込まれて取り付けられる構造の場合（特許文献１に開示される「使用状態を示すＡ−Ａ線参考拡大断面図」）に比べ、透光性カバー６０の短手方向一端側にしか取付溝２５ａ（２５ｂ）が形成されていない。そのため、透光性カバー６０を本体ケース２０の側方からスライドさせることなく、収容部２２の短手方向開口部から透光性カバー６０を組み付けることが可能になる。
【００４４】
したがって、メンテナンス時において、ＬＥＤ灯具１０の側方に透光性カバー６０の長さ相当の作業空間を確保する必要がなく、またＬＥＤ灯具１０を天井や壁の取付面から取り外す必要もない。また、組付時においても、透光性カバー６０を本体ケース２０の側方からスライドさせて本体ケース２０の収容部２２に差し込む必要がないため、ＬＥＤ灯具１０の側方に、透光性カバー６０の長さ相当の作業空間を確保する必要がない。
【００４５】
なお、本実施形態では、拡散シート６２がガラス板６１の収容部２２側に貼付されており、この拡散シート６２と収容部２２の間に緩衝材６５を介在させている。これにより、透光性カバー６０や反射板３０の（４０）等を組み付けた状態において、拡散シート６２に内当接部３５（４５）が直接触れることがないため、拡散シート６２が内当接部３５（４５）によって傷が付いたり、破れたりすることがない。また、透光性カバー６０と収容部２２との間に緩衝材６５が介在することによって、反射板３０の（４０）の内当接部３５（４５）による押圧力や寸法誤差を吸収することが可能になり、透光性カバー６０のガタツキや透光性カバー６０の破損を防止することができる。
【００４６】
このように構成されるＬＥＤ灯具１０の全体形状は、図５に示す六面図により把握することができる。なお、図５(A)は正面図、図５(B)は背面図、図５(C)は平面図、図５(D)は底面図、図５(E)は右側面図、図５(F)は左側面図、である。
【００４７】
また、本体ケース２０の全体形状は、図６に示す六面図および斜視図により把握することができる。なお、図６(A)は正面図、図６(B)は背面図、図６(C)は平面図、図６(D)は底面図、図６(E)は右側面図、図６(F)は左側面図、図６(G)は斜視図、である。
【００４８】
さらに、反射板３０の全体形状は、図７に示す六面図および斜視図により把握することができる。なお、図７(A)は正面図、図７(B)は背面図、図７(C)は平面図、図７(D)は底面図、図７(E)は右側面図、図７(F)は左側面図、図７(G)は斜視図、である。反射板４０の全体形状は、図７に示す反射板３０の六面図および斜視図に対して、左右および上下をそれぞれ逆に概念化することにより把握することができる。
【００４９】
ところで、本実施形態に係るＬＥＤ灯具１０では、上述したように、本体ケース２０とは別体に、本体ケース２０に開口する開口部２０ａ，２０ｂに２枚の反射板３０，４０が設けられる。このため、例えば、反射板３０，４０とは、別の塗装色で本体ケース２０を塗装する場合、反射板３０，４０と本体ケース２０を別々に塗装することで、容易に両者を別色で塗装することができる。これにより、マスキングテープ等を用いることなく、反射板３０，４０と本体ケース２０を塗り分けることが可能になる。
【００５０】
また、例えば、図８に示すように、本体ケース２０自体に別の塗装色で塗り分ける部分α，βが指定されている場合（例えば、太線部分αの範囲は灰色、太線部分βの範囲は白色）でも、塗り分けの境界を、反射板３０，４０、発光部５０や透光性カバー６０等で本体ケース２０の表面が隠れる範囲に設定することで、塗り分けの境界を反射板３０，４０等で隠すことが可能になる。これにより、このような場合であっても、マスキングテープ等を用いることなく、塗り分け作業を行うことができる。したがって、塗装時の塗り分け作業を容易にすることができる。
【００５１】
以上説明したように、本実施形態に係るＬＥＤ灯具１０では、取付面１００の反対側に向けて開口する開口部２０ａ，２０ｂがＬＥＤ灯具１０の長手方向に沿って２列に並んで連続して形成される本体ケース２０と、開口部２０ａ，２０ｂの長手方向長さとほぼ同等の長さを有するとともに湾曲形状をなす端部形状が一端側から他端側まで連続して形成され、取付面１００の反対側に向けて開口するように２列の開口部２０ａ，２０ｂのそれぞれに設けられる２枚の反射板３０，４０と、複数のＬＥＤ５３が列状に配置されるＬＥＤ列を複数備え、反射板３０，４０の短手方向側方から斜めに入射するように２枚の反射板３０，４０のうち、一方の反射板３０に一群のＬＥＤ列の発光側を向け、他方の反射板４０に他群のＬＥＤ列の発光側を向けて２列の開口部２０ａ，２０ｂの間に設けられ、発せられた光がこれらの反射板３０，４０に反射して照明光として外部に出射される発光部５０と、を備える。
【００５２】
これにより、マスキングテープ等を用いることなく、塗り分けを可能にすることから、塗装時の塗り分け作業を容易にすることができる。また、組付時やメンテナンス時において、ＬＥＤ灯具１０を、一旦、天井や壁の取付面から取り外す必要がなくなることから、組付性やメンテナンス性を向上することができる。
【００５３】
また、本実施形態に係るＬＥＤ灯具１０では、発光部５０と反射板３０，４０との間には、発光部５０の長手方向長さ（または本体ケース２０の長手方向長さ）とほぼ同等の長さを有する短冊形状の透光性カバー６０が介在しており、透光性カバー６０の短手方向の一端側が本体ケース２０の長手方向に沿って形成される取付溝２５に係止され、透光性カバー６０の短手方向の他端側が反射板３０，４０の内当接部３５，４５により収容部２２に押圧されて、本体ケース２０に固定される。
【００５４】
これにより、収容部２２の短手方向開口部から透光性カバー６０を組み付けることができるので、組付時においては、発光部５０の長手方向長さとほぼ同等の長さを有する短冊形状の透光性カバー６０を本体ケース２０の側方からスライドさせて本体ケース２０に差し込んだり、またメンテナンス時においては、このような長尺の透光性カバー６０をスライドさせて本体ケース２０の側方から引き抜いたり、する必要がない。そのため、当該ＬＥＤ灯具の側方に、透光性カバーの長さ相当の作業空間を確保する必要がなくなることから、組付時に作業空間を作ったり、メンテナンス時に、一旦、ＬＥＤ灯具を、天井や壁の取付面から取り外したりする必要がない。また、透光性カバー６０を本体ケース２０の側方からスライドさせる構成を採る場合にこのようなスライドをスムースにするため、取付溝の溝幅を広くしたり、透光性カバー６０を薄くしたりする必要もなくなることから、透光性カバーの固定に要する溝幅以上の溝部を形成しなくてもよい。これにより、透光性カバーをスムースにスライドさせるため、透光性カバーの固定に要する溝幅以上に溝部を形成していた場合に比べて、走行時や航行時の振動によるビビリ音を抑制することが可能になる。
【００５５】
さらに、本実施形態に係るＬＥＤ灯具１０では、発光部５０は、複数のＬＥＤ５３が列状に実装される長尺状の一対のＬＥＤ基板５１と、一対のＬＥＤ基板５１のそれぞれに対して設けられ、ＬＥＤ基板５１とほぼ同等の長さを有するとともにＬ字形状をなす端部形状が一端側から他端側まで連続し、かつＬ字形状の内向面が光沢を有する一対のＬ字金具７０と、を備える。そして、Ｌ字金具７０の外向面側が収容部２２（本体ケース２０）に接するようにＬ字金具７０を収容部２２に取り付けた場合、Ｌ字金具７０の内向面側のうち反射板３０，４０に向く面側にＬＥＤ基板５１を取り付ける。
【００５６】
これにより、ＬＥＤ基板５１は、Ｌ字形状のＬ字金具７０を介して収容部２２の短手方向開口部から収容部２２（本体ケース２０）に取り付けられるため、組付時においては、長尺状の一対のＬＥＤ基板５１を本体ケース２０の側方からスライドさせて本体ケース２０に差し込んだり、またメンテナンス時においては、このような一対のＬＥＤ基板５１をスライドさせて本体ケース２０の側方から引き抜いたり、する必要がなくなる。そのため、ＬＥＤ灯具１０の側方に、ＬＥＤ基板５１の長さ相当の作業空間を確保する必要がないことから、組付時に作業空間を作ったり、メンテナンス時に、一旦、ＬＥＤ灯具１０を、天井や壁の取付面から取り外したりする必要がない。また、収容部２２（本体ケース２０）にねじ締結されるＬ字金具７０を介してＬＥＤ基板５１を収容部２２に取り付ける構成を採ることから、両面テープや接着剤によりＬＥＤ基板５１を収容部２２に貼着する構成を採る場合に比べて、メンテナンス時におけるＬＥＤ基板５１の取り外しが容易になる。
【００５７】
なお、実施形態はこれまでにのべた構成に限らず、以下の様態に変更してもよい。
・緩衝材６５の材質は、スポンジ、ゴム等とすることが可能である。
・透光性カバー６０は、完全に透明でもよく、完全に透明でなく光を拡散させるものでもよい。また、透光性カバー６０の材質は、ガラス、樹脂等とすることが可能である。
【符号の説明】
【００５８】
１０…ＬＥＤ灯具
２０…本体ケース（本体部）
２０ａ、２０ｂ…開口部
２２…収容部
２３…放熱フィン
２５ａ、２５ｂ…取付溝（溝部）
３０…反射板（一方の反射板）
３５、４５…内当接部（反射板の短手方向端部）
３７、４７…外当接部
４０…反射板（他方の反射板）
５０…発光部
５１…ＬＥＤ基板（プリント配線板）
５３…ＬＥＤ（発光ダイオード）
６０…透光性カバー
６１…ガラス板
６２…拡散シート
７０…Ｌ字金具（取付金具）
８０…サイドカバー
９０…ＬＥＤ電源装置
１００…取付面
１００ａ…凹部
１０１…車両側取付金具
【図１】
2015018627.tif 000003
【図２】
2015018627.tif 000004
【図３】
2015018627.tif 000005
【図４】
2015018627.tif 000006
【図８】
2015018627.tif 000007
【図５】
2015018627.tif 000008
【図６】
2015018627.tif 000009
【図７】
2015018627.tif 000010